(57)【特許請求の範囲】
【請求項１】
便器を囲う壁のうち少なくとも一部の壁と、
当該壁に設置されるガイドレールと、
このガイドレールに案内されて移動する回動式扉と、を備えたトイレにおいて、
前記ガイドレールは、一方側が直線的な部位と、この直線的な部位に連続し、弧を描く他方側の部位とからなり、
前記回動式扉は、前記ガイドレールの部位に応じた曲面を形成する部分曲面部と前記ガイドレールの部位に応じた平面を形成する部分平面部とを有し、前記回動式扉が開いた状態から前記ガイドレールに案内されて閉じる方向へ移動する場合の移動方向の前側に前記部分曲面部を有し、当該部分曲面部の後側に連結部材を介して前記部分平面部を連結したトイレ。
【請求項２】
前記回動式扉の前記部分曲面部の幅が、前記部分平面部の幅よりも広く形成されている請求項１に記載のトイレ。
【請求項３】
前記ガイドレールが設置された壁が、前記壁のうち、出入り口側から視て左右に位置する側壁の一方であり、当該一方の側壁が、水平断面における前記出入り口側の端部の形状を前記便器に向かって凹の円弧状とし、当該円弧状の部分とつながる他端部の形状を直線状とし、
前記ガイドレールが、前記側壁の直線状の部分に沿って設けられた直線部位と、この直線部位に連続し、前記側壁の円弧状の部分に沿うと共に他方の側壁にかけて円弧状に設けられた円弧部位とからなり、
前記回動式扉が、閉じた場合に、前記部分曲面部と前記部分平面部が前記ガイドレールに案内されて前記側壁の円弧状の端部から他方の側壁にわたって位置して出入り口を塞ぎ、前記回動式扉が、開いた場合に、前記ガイドレールに案内されて前記部分曲面部が前記ガイドレールの円弧部位に位置し、前記部分平面部が前記ガイドレールの直線部位に位置する請求項１又は２に記載の回動式扉を備えたトイレ。
【請求項４】
前記側壁が隣接する他のトイレの側壁を兼ね、前記回動式扉が、前記出入り口を閉じた場合に、前記ガイドレールに案内されて一方の前記側壁の円弧状の端部から他方の側壁の
円弧状の端部にわたって位置する請求項３に記載のトイレ。
【発明の詳細な説明】
【技術分野】
【０００１】
本発明は、回動式扉を備えたトイレに関する。
【背景技術】
【０００２】
トイレ、中でも多目的トイレは、車椅子利用者、小さな子供と一緒の利用者など、通常のトイレ利用者とは異なり、設備だけでなく、広さも必要な利用者に配慮されたトイレである。
【０００３】
そのため、多目的トイレには、設備を収めるための機能や広いスペースを作るための機能がある。このような機能を確保できるように、多目的トイレには半円筒形状の回動式扉が採用されている。
しかしながら、機能のさらなる多様性の要求から一層広いスペースの確保が望まれていた。
【０００４】
図７及び図８は、従来の回動式扉を備えたトイレＴである。
図７はその全体斜視図であり、図８は平面図である。これらの図から明らかなように、扉３００は、その横断面がほぼ半円弧形状をしたほぼ半円筒体形状をしている。
【０００５】
また、扉３００は、ガイドレール３０２に案内されて開閉される。つまり、両者は同じ曲率半径を有する。よって、扉３００の開閉にあたり、扉３００を案内するガイドレール３０２も扉３００と同じ円弧を描くように形成されている。
【０００６】
一方、トイレＴの側壁Ｔ１は、横断面で略Ｊ字形状をしている。つまり、トイレＴの側壁Ｔ１は、設置した便器Ｔ２の長手方向と平行な部位Ｔ３が、水平断面で直線的であるが、それ以外の箇所Ｔ４は円弧を描いている。
【０００７】
既述のように円弧を描いているガイドレール３０２をトイレＴの側壁Ｔ１に設置すると、ガイドレール３０２は、トイレＴの側壁Ｔ１の部位Ｔ３との間で徐々に離隔する。換言すると、ガイドレール３０２の一端部分３０２ａが、トイレ内の空間（以下、トイレ空間）Ｓ内において、中央方向に徐々に近づくように湾曲して形成されている（図８参照）。
【０００８】
この結果、トイレ空間Ｓがその分狭くなる。
よって、機能のさらなる多様性の要求から求められていた広いスペースの確保が難しくなる。
【先行技術文献】
【特許文献】
【０００９】
【特許文献１】特開２０００−７３６４７号公報
【発明の概要】
【発明が解決しようとする課題】
【００１０】
本発明は、上記事情に鑑みてなされたものであり、その解決しようとする課題は、トイレ空間内にガイドレール及びガイドレールに案内される扉が、トイレ内壁面から離隔しない構造の回動式扉を備えたトイレを提供することにある。
【課題を解決するための手段】
【００１１】
そこで、本発明の回動式扉を備えたトイレにあっては、次の手段を採用した。
すなわち、本発明の回動式扉を備えたトイレは、便器を囲う壁のうち少なくとも一部の壁と、当該壁に設置されるガイドレールと、このガイドレールに案内されて移動する回動式扉と、を備えたトイレにおいて、前記ガイドレールは、一方側が直線的な部位と、この直線的な部位に連続し、弧を描く他方側の部位とからなり、前記回動式扉は、前記ガイドレールの部位に応じた曲面を形成する二次曲面部である部分曲面部と前記ガイドレールの部位に応じた平面な部分である部分平面部とを有し、前記部分平面部は複数の板材を連結部材である連結部で連結した構造を有する回動式扉を備えたトイレである。
【００１２】
扉は、これを開けるときの進行側の端から後退側所定の範囲に亘って複数の板材を連結部で連結した部位を有するので、当該部位は、少なくともガイドレールの形態に合わせて自在に変化できる。
【００１３】
よって、回動式扉のうち複数の板材を連結部で連結した部位は、これが、ガイドレールのうち直線形状をした部位にあるときは、まっすぐであるが、円弧形状をなす部位にあるときは円弧形状に形態変化する。
【００１４】
したがって、ガイドレールをトイレの側壁に設置するにあたり、ガイドレールは、トイレの側壁に接するように取り付けることができるようになる。つまりガイドレールの直線的な部位が、トイレ空間Ｓ内において、中央方向に徐々に近づくように湾曲して形成する必要がない。
【発明の効果】
【００１５】
この結果、トイレ空間をその分広くすることができる。
【図面の簡単な説明】
【００１６】
【図１】本発明回動式扉を備えたトイレの扉が閉まっているときのトイレの全体斜視図である。
【図２】本発明回動式扉を備えたトイレの扉が開いているときのトイレの全体斜視図である。
【図３】図１の平面図である。
【図４】図１の正面図である。
【図５】図１の内部から回動式扉を視た図である。
【図６】図１の左側壁を外してトイレ内部を視た図である。
【図７】従来技術を説明するためのトイレの全体斜視図である。
【図８】図７の平面図である。
【発明を実施するための形態】
【００１７】
以下、この発明を実施するための形態（以下、実施形態）を実施例に基づいて例示的に説明する。ただし、この実施例に記載されている構成部品の寸法、材質、形状その相対配置などは、特に特定的に記載がない限りは、この発明の範囲をそれらに限定する趣旨ではない。
【００１８】
本発明の回動式扉を備えた多目的トイレ（以下、トイレ）Ｔを図１〜６を参照して例示する。なお、従来技術に付したと同一の符号は同一のものであることを示す。
【００１９】
トイレＴは、三方を囲う左右一対の側壁３ｌ、３ｒ及び後壁３ｂ並びにトイレＴの出入り口４を開閉する扉９とを有する。四方が側壁３ｌ、３ｒ及び後壁３ｂ並びに扉９によって囲繞された便器Ｔ２がトイレＴの中に設置されている。
【００２０】
ここで、左右とは、トイレの外から出入り口４に正対した場合の左側及び右側をいい、
前後とは便器Ｔ２に着座したときの前方及び後方をいい、上下とは、天井側及び便器の設置面側をいう。
【００２１】
左右の側壁３ｌ、３ｒは、横断面Ｊの字形になるように、つまり、一方側が直線状で、他方側が湾曲（二次曲面）状をなすようにされた板材であり（図１、２参照）、左側壁３ｌは、トイレＴの左隣の別のトイレＴの右側壁３ｒを兼ね、右側壁３ｒはトイレＴの右隣の別のトイレＴの左側壁３ｌを兼ねる。
【００２２】
右側壁３ｒには、その上部にガイドレール８が設置されている（図１参照）。側壁３ｌ、３ｒは、その横断面が既述のように横断面がＪの字形であることより、少なくとも水平断面で直線的な部位を有する。なお、左隣のトイレＴの右側壁を兼ねる左側壁３ｌにもガイドレール８は設置される。
【００２３】
ガイドレール８は、金属製の板材からなり、右側壁３ｒと同様、全体形状がほぼＪ字形をなすように形成され、部分的に平面な部位である部分平面部８１及び円弧（この実施形態では半円形や１／４円形が考えられる。）を描く部位８３とを有する。ガイドレール８の直線的な部分平面部８１は右側壁３ｒの上部で直線的な部位に対応して設置される。そしてガイドレール８の円弧を描く部位８３は、左側壁３ｌの湾曲された部分及び出入り口４の上部に対応して設置される。
【００２４】
また、ガイドレール８は、これを上下方向から挟持するように複数の回転ローラ（図示せず）を有するローラ部材８６１を有する。このローラ部材８６１に扉９が垂下された状態で設置される（図１、図２、図４、図５、図６参照）。
なお、図６に符号８７で示すものは、ガイドレール８を支持する支持柱であり、接地面からまっすぐ上方に延びている。
【００２５】
そして、前記図示しないとした複数の回転ローラがガイドレール８上を滑走することで、ローラ部材８６１に垂下されている（上下方向に延びている）扉９がガイドレール８に沿って移動する。
扉９は平坦な板部９１（図１、図２、３参照）と、この板部９１に連続する例えば円筒、楕円放物面、楕円面など、弧の形状断面が部分的な二次曲面部（以下、部分曲面部）９２（図２参照）とからなると共に横断面でほぼＪ字形をなす（図１参照）。
【００２６】
さらに、前記板部９１は、扉９を開けるときの進行側の端９３から扉９を閉じるときの後退側所定の範囲Ａ（図３参照）に亘って上下方向に延びる複数の板材９４ｂ（この実施例では二枚）を連結部９４ａで連結した部位を有する。よって、板部９１にあっては、恰も複数の車輌が連結器で連結された如き形態で走行する。
【００２７】
したがって、その形態が直線的にも曲線的にも変化する。なお、この実施例では、部分曲面部９２側から連結部９４ａ−板材９４ｂ−連結部９４ａ−板材９４ｂ−連結部９４ａの順で配置されている（図１、５参照）。
【００２８】
扉９の部分曲面部９２の横断面形状である円弧の曲率中心と、ガイドレール８の円弧を描く部位８３の曲率中心Ｃとは同じである（図３参照）。そして、この曲率中心Ｃを回転中心として、ガイドレール８に沿って扉９が往復回動移動する。よって扉９を回動式扉という。
【００２９】
次にこのような構成の回動式扉を備えたトイレＴの作用効果を示す。
ガイドレール８は、扉９を開けるときの進行側の端９３（図３参照）から扉９を閉じるときの後退側所定の範囲Ａ（図３参照）に亘って連結部９４ａと板材９４ｂとが交互に連
結する板部９１（図１〜図５参照）を有する。従って、板部９１は、ガイドレール８の形態に合わせて自在に変化できる。つまり、板部９１は、ガイドレールの直線的な部位８１もこの部分平面部８１に連続する円弧を描く部位８３も、その形態を直線的に又は曲線的に自在に変化させながら移動する。
【００３０】
また、ガイドレール８のうち、部分平面部８１をトイレＴの右側壁３ｒに沿って設置し、円弧を描く部位８３をトイレＴの出入り口４に設置し、当該設置した状態でガイドレール８に沿って回動式扉９を開閉する。
【００３１】
すると、回動式扉９のうち連結部９４ａと板材９４ｂの繰り返し構造を形成している部位９１は、これが、ガイドレール８のうち部分平面部８１にあるときは、まっすぐになり、円弧形状をなす部位８３にあるときは円弧形状に形態変化する。
【００３２】
したがって、ガイドレール８をトイレＴの右側壁３ｒに設置すると、ガイドレール８は、トイレＴの右側壁３ｒに平行に取り付けることができるようになる。つまりガイドレール８の一端部が、トイレ空間Ｓ内に中央方向に徐々に近づくように湾曲することがない。
【００３３】
この結果、回動式扉９を閉めたとき、ガイドレール８に案内された回動式扉９は、トイレ空間Ｓの一部を占有しないようにできる。よって、トイレ空間Ｓをその分広くすることができる。なお、この実施例では、ガイドレール８を上方に設置したものを開示したが、下方にもガイドレール８を設けるようにしてもよい。このようにすることで、扉９が上下のガイドレール８に沿って安定して移動することができるようになる。
【符号の説明】
【００３４】
３ｂ 後壁
３ｌ 左側壁
３ｒ 右側壁
４ 出入り口
８ ガイドレール
９ 回動式扉
８１ ガイドレールのうちの部分平面部
８３ ガイドレールのうちの円弧を描く部位
８７ 支持柱
９１ 平坦な板部
９２ 部分曲面部
９３ 回動式扉を開けるときの進行側の端
９４ａ 連結部
９４ｂ 板材
３００ 扉
３０２ ガイドレール
３０２ａ ガイドレールの一端部分
８６１ ローラ部材
Ａ 範囲
Ｓ トイレ空間
Ｔ トイレ
Ｔ１ トイレの側壁
Ｔ２ 便器
Ｔ３ 便器の長手方向と平行な部位
Ｔ４ 箇所
Ｃ 曲率中心
【図１】
0005926059.tif 000002
【図２】
0005926059.tif 000003
【図３】
0005926059.tif 000004
【図４】
0005926059.tif 000005
【図５】
0005926059.tif 000006
【図６】
0005926059.tif 000007
【図７】
0005926059.tif 000008
【図８】
0005926059.tif 000009